(57)【要約】      （修正有）【課題】看護記録の誤入力等の患者の取り違いを防止する医用情報処理システム及び医用情報処理装置を提供する。【解決手段】医用情報処理システム１は、サーバ１００と、医療スタッフが対応する被検体の識別情報を取得してサーバに送信する医療スタッフ端末（タブレット２００、ウェアラブル端末３００）と、を備える。サーバは、スタッフ端末から送信された識別情報が記憶部に記憶された識別情報と一致する場合、被検体に関する被検体情報を医療スタッフにより入力させる入力処理をスタッフ端末に実行させる第１の実行処理部と、入力処理を中断させるイベントが発生した場合、入力処理が中断するまでに医療スタッフにより入力された被検体情報を、一致する識別情報に対応付けて記憶部に保存させる記録処理部と、を備える。【選択図】図１
2020119422.tif 000002
【特許請求の範囲】
【請求項１】
サーバと、
医療スタッフが対応する被検体の識別情報を取得して前記サーバに送信するスタッフ端末と、
を備え、
前記サーバは、
前記スタッフ端末から送信された前記識別情報が記憶部に記憶された識別情報と一致する場合、前記被検体に関する被検体情報を前記医療スタッフにより入力させる入力処理を前記スタッフ端末に実行させる第１の実行処理部と、
前記入力処理を中断させるイベントが発生した場合、前記入力処理が中断するまでに前記医療スタッフにより入力された前記被検体情報を、前記一致する識別情報に対応付けて前記記憶部に保存させる記録処理部と、
を備える医用情報処理システム。
【請求項２】
前記サーバは、
前記入力処理が中断したときに、前記被検体の対応で予定されている項目が前記被検体情報として前記記憶部に保存されていない場合、前記入力処理を中断している旨を前記医療スタッフに通知する情報を前記スタッフ端末に送信する割込処理部、
を更に備える請求項１に記載の医用情報処理システム。
【請求項３】
前記サーバは、
前記スタッフ端末から送信された識別情報が複数存在する場合、前記医療スタッフの近くに複数の被検体が存在する旨を前記医療スタッフに警告する警告情報を前記スタッフ端末に送信する第１の警告処理部、
を更に備える請求項１又は２に記載の医用情報処理システム。
【請求項４】
前記第１の警告処理部は、前記警告情報を、類似の事例を表す情報と共に前記スタッフ端末に送信する、
請求項３に記載の医用情報処理システム。
【請求項５】
前記サーバは、
中断した前記入力処理が再開されない場合、前記入力処理が再開されない旨を前記医療スタッフに警告する情報を前記スタッフ端末に送信する第２の警告処理部、
を更に備える請求項１〜４のいずれか一項に記載の医用情報処理システム。
【請求項６】
前記サーバは、
前記スタッフ端末から送信された前記識別情報と、前記記憶部に記憶された識別情報の中から、前記医療スタッフが選択した識別情報とが一致する場合、前記入力処理とは異なる処理を前記スタッフ端末に実行させる第２の実行処理部、
を更に備える請求項１〜５のいずれか一項に記載の医用情報処理システム。
【請求項７】
前記サーバは、
前記スタッフ端末から送信された前記識別情報と、前記医療スタッフが選択した識別情報とが一致しない場合、前記医療スタッフが被検体を間違えている旨を前記医療スタッフに警告する情報を前記スタッフ端末に送信する第３の警告処理部、
を更に備える請求項６に記載の医用情報処理システム。
【請求項８】
前記スタッフ端末は、
前記被検体に装着されたデバイスの近距離無線通信範囲内に存在する場合、前記デバイスから発信された前記被検体の識別情報を受信し、前記サーバに送信する通信処理部、
を備える、請求項１〜７のいずれか一項に記載の医用情報処理システム。
【請求項９】
前記被検体の識別情報は、前記被検体の顔であり、
前記スタッフ端末は、
前記被検体の顔画像を撮影するカメラと、
前記カメラにより撮影された前記被検体の顔画像を前記サーバに送信する通信処理部と、
を備える、請求項１〜７のいずれか一項に記載の医用情報処理システム。
【請求項１０】
前記被検体の識別情報は、前記被検体の名前であり、
前記スタッフ端末は、
前記被検体の名前を表す音声を集音するマイクと、
前記マイクにより集音された前記被検体の名前を表す音声を前記サーバに送信する通信処理部と、
を備える、請求項１〜７のいずれか一項に記載の医用情報処理システム。
【請求項１１】
医療スタッフが対応する被検体の識別情報を取得してサーバに送信するスタッフ端末と通信を行う医用情報処理装置において、
前記スタッフ端末から送信された前記識別情報が記憶部に記憶された識別情報と一致する場合、前記被検体に関する被検体情報を前記医療スタッフにより入力させる入力処理を前記スタッフ端末に実行させる第１の実行処理部と、
前記入力処理を中断させるイベントが発生した場合、前記入力処理が中断するまでに前記医療スタッフにより入力された前記被検体情報を、前記一致する識別情報に対応付けて前記記憶部に保存させる記録処理部と、
を備える医用情報処理装置。
【発明の詳細な説明】
【技術分野】
【０００１】
本発明の実施形態は、医用情報処理システム及び医用情報処理装置に関する。
【背景技術】
【０００２】
看護師や医師等の医療スタッフは、ある被検体（例えば、患者）を対応しているときに、他の患者からの呼び出し等により、呼び出した患者も対応する場合がある。このように、医療スタッフは、複数の患者を相手にするため、多忙である。
【先行技術文献】
【特許文献】
【０００３】
【特許文献１】特開２０１５−０６２５１６号公報
【特許文献２】特開２０１４−０８７５２４号公報
【特許文献３】特開２００１−１９５３６６号公報
【発明の概要】
【発明が解決しようとする課題】
【０００４】
本発明が解決しようとする課題は、看護記録の誤入力等の患者の取り違いを防止することである。
【課題を解決するための手段】
【０００５】
実施形態に係る医用情報処理システムは、サーバと、医療スタッフが対応する被検体の識別情報を取得して前記サーバに送信するスタッフ端末と、を備え、前記サーバは、前記スタッフ端末から送信された前記識別情報が記憶部に記憶された識別情報と一致する場合、前記被検体に関する被検体情報を前記医療スタッフにより入力させる入力処理を前記スタッフ端末に実行させる第１の実行処理部と、前記入力処理を中断させるイベントが発生した場合、前記入力処理が中断するまでに前記医療スタッフにより入力された前記被検体情報を、前記一致する識別情報に対応付けて前記記憶部に保存させる記録処理部と、を備える。
【図面の簡単な説明】
【０００６】
【図１】図１は、第１の実施形態に係る医用情報処理システムの構成の一例を示す図である。
【図２】図２は、デバイスの一例を示す図である。
【図３】図３は、ウェアラブル端末の構成の一例を示す図である。
【図４】図４は、ウェアラブル端末の構成の一例を示す図である。
【図５】図５は、タブレットの構成の一例を示す図である。
【図６】図６は、サーバの構成の一例を示す図である。
【図７】図７は、第１の実施形態に係る医用情報処理システムによる処理の手順を示すフローチャートである。
【図８】図８は、タブレットのディスプレイに表示される画面の一例を示す図である。
【図９】図９は、タブレットのディスプレイに表示される画面の一例を示す図である。
【図１０】図１０は、タブレットのディスプレイに表示される画面の一例を示す図である。
【図１１】図１１は、タブレットのディスプレイに表示される画面の一例を示す図である。
【図１２】図１２は、タブレットのディスプレイに表示される画面の一例を示す図である。
【図１３】図１３は、第１の変形例におけるウェアラブル端末の構成の一例を示す図である。
【図１４】図１４は、第１の変形例におけるウェアラブル端末の構成の一例を示す図である。
【図１５】図１５は、第２の変形例におけるウェアラブル端末のディスプレイに表示される画面の一例を示す図である。
【図１６】図１６は、第２の変形例におけるウェアラブル端末のディスプレイに表示される画面の一例を示す図である。
【図１７】図１７は、第３の変形例における医用情報処理システムによる処理の手順を示すフローチャートである。
【図１８】図１８は、第３の変形例におけるタブレットのディスプレイに表示される画面の一例を示す図である。
【図１９】図１９は、第４の変形例におけるウェアラブル端末の構成の一例を示す図である。
【図２０】図２０は、第４の変形例におけるウェアラブル端末の構成の一例を示す図である。
【図２１】図２１は、第５の変形例における医用情報処理システムによる処理の手順を示すフローチャートである。
【図２２】図２２は、第５の変形例におけるタブレットのディスプレイに表示される画面の一例を示す図である。
【図２３】図２３は、第２の実施形態に係る医用情報処理システムによる処理の手順を示すフローチャートである。
【図２４】図２４は、第２の実施形態におけるタブレットのディスプレイに表示される画面の一例を示す図である。
【図２５】図２５は、第２の実施形態に係る医用情報処理システムによる処理の手順を示すフローチャートである。
【図２６】図２６は、第２の実施形態におけるタブレットのディスプレイに表示される画面の一例を示す図である。
【図２７】図２７は、第３の実施形態におけるタブレットのディスプレイに表示される画面の一例を示す図である。
【図２８】図２８は、第３の実施形態におけるタブレットのディスプレイに表示される画面の一例を示す図である。
【図２９】図２９は、第４の実施形態におけるタブレットのディスプレイに表示される画面の一例を示す図である。
【発明を実施するための形態】
【０００７】
以下、添付図面を参照して、医用情報処理システムの実施形態を詳細に説明する。
【０００８】
（第１の実施形態）
図１は、第１の実施形態に係る医用情報処理システム１の構成の一例を示す図である。図１に示すように、第１の実施形態に係る医用情報処理システム１は、サーバ１００と、タブレット２００と、ウェアラブル端末３００と、デバイス４００とを備える。サーバ１００は、タブレット２００との間で無線通信を行う。サーバ１００は、医用情報処理装置の一例である。
【０００９】
タブレット２００及びウェアラブル端末３００は、医師や看護師等を含む医療スタッフにより用いられる。例えば、各医療スタッフに対して、タブレット２００とウェアラブル端末３００とが１台ずつ与えられている。タブレット２００は、スタッフ端末の一例である。なお、タブレット２００とウェアラブル端末３００とがスタッフ端末として一体化されていてもよい。
【００１０】
被検体（患者）には、当該患者を一意に識別するための識別情報が割り当てられている。具体的には、患者の腕にはリストバンドが装着され、そのリストバンドには、近距離無線通信範囲内で患者を識別する識別情報を発信する近距離無線通信機能を有するデバイス４００が設けられている。
【００１１】
図２は、デバイス４００の一例を示す図である。図２に示すように、複数の患者のうちの患者Ａの腕にはリストバンド４１０が装着され、そのリストバンド４１０には、患者Ａを識別する識別情報「Ｐ１１１１」を発信するデバイス４００としてデバイス４００Ａが設けられている。同様に、複数の患者のうちの患者Ｂの腕にもリストバンド４１０が装着され、そのリストバンド４１０には、患者Ｂを識別する識別情報「Ｐ１１１２」を発信するデバイス４００としてデバイス４００Ｂが設けられている。
【００１２】
図３及び図４は、ウェアラブル端末３００の構成の一例を示す図である。
【００１３】
ウェアラブル端末３００は、近距離無線通信範囲内でデバイス４００と近距離無線通信を行う近距離無線通信機能を有する。例えば、図３に示すように、ウェアラブル端末３００は、腕時計型のウェアラブル端末であり、医療スタッフの腕に装着される。この場合、図４に示すように、ウェアラブル端末３００は、ディスプレイ３２０と、通信インターフェース３３０と、記憶回路３４０と、処理回路３５０と、近距離無線通信機能である近距離無線通信デバイス３６０とを有する。
【００１４】
ディスプレイ３２０は、処理回路３５０に接続されており、各種情報及び各種画像を表示する。具体的には、ディスプレイ３２０は、処理回路３５０から送られる各種情報及び各種画像のデータを表示用の電気信号に変換して出力する。例えば、ディスプレイ３２０は、液晶モニタやタッチパネル等によって実現され、時刻等を表示する。なお、ディスプレイ３２０は、表示部の実現手段の一例である。
【００１５】
通信インターフェース３３０は、処理回路３５０に接続されており、ウェアラブル端末３００とタブレット２００との間で行われる各種データの伝送及び通信を制御する。通信インターフェース３３０は、例えば、ネットワークカードやネットワークアダプタ、ＮＩＣ（Network  Interface  Controller）等によって実現される。
【００１６】
記憶回路３４０は、処理回路３５０に接続されており、各種データを記憶する。例えば、記憶回路３４０は、ＲＡＭ（Random  Access  Memory）、フラッシュメモリ等の半導体メモリ素子や、ハードディスク、光ディスク等によって実現される。なお、記憶回路３４０は、記憶部の実現手段の一例である。
【００１７】
処理回路３５０は、ウェアラブル端末３００の構成要素を制御する。例えば、処理回路３５０は、図４に示すように、通信処理機能３５１を実行する。ここで、例えば、処理回路３５０の構成要素である通信処理機能３５１が実行する処理機能は、コンピュータによって実行可能なプログラムの形態で記憶回路３４０に記録されている。処理回路３５０は、上記プログラムを記憶回路３４０から読み出し、実行することで上記プログラムに対応する機能を実現するプロセッサである。換言すると、上記プログラムを読み出した状態の処理回路３５０は、図４の処理回路３５０内に示された上記機能を有することとなる。ここで、通信処理機能３５１は、通信処理部の一例である。
【００１８】
近距離無線通信デバイス３６０は、デバイス４００の近距離無線通信範囲内でデバイス４００から発信された識別情報を受信する。例えば、医療スタッフが患者を対応するとき、近距離無線通信デバイス３６０は、その患者に装着されたリストバンド４１０に設けられたデバイス４００の近距離無線通信範囲内に存在する。この場合、近距離無線通信デバイス３６０は、当該デバイス４００から発信された識別情報を受信可能である。例えば、近距離無線通信デバイス３６０は、患者Ａに装着されたリストバンド４１０に設けられたデバイス４００Ａの近距離無線通信範囲内に存在する場合、デバイス４００Ａから発信された患者Ａの識別情報「Ｐ１１１１」を受信する。通信処理機能３５１は、近距離無線通信デバイス３６０が受信した識別情報「Ｐ１１１１」をタブレット２００に送信する。
【００１９】
図５は、タブレット２００の構成の一例を示す図である。図５に示すように、タブレット２００は、入力インターフェース２１０と、ディスプレイ２２０と、通信インターフェース２３０と、記憶回路２４０と、処理回路２５０とを有する。
【００２０】
入力インターフェース２１０は、処理回路２５０に接続されており、操作者から各種指示及び各種情報の入力操作を受け付ける。具体的には、入力インターフェース２１０は、操作者から受け付けた入力操作を電気信号へ変換して処理回路２５０に出力する。例えば、入力インターフェース２１０は、トラックボール、スイッチボタン、マウス、キーボード、操作面へ触れることで入力操作を行うタッチパッド、表示画面とタッチパッドとが一体化されたタッチスクリーン、光学センサを用いた非接触入力回路、及び音声入力回路等によって実現される。なお、本明細書において、入力インターフェース２１０は、マウス、キーボード等の物理的な操作部品を備えるものだけに限られない。例えば、装置とは別体に設けられた外部の入力機器から入力操作に対応する電気信号を受け取り、この電気信号を制御回路へ出力する電気信号の処理回路も入力インターフェース２１０の例に含まれる。なお、入力インターフェース２１０は、入力部の実現手段の一例である。
【００２１】
ディスプレイ２２０は、処理回路２５０に接続されており、各種情報及び各種画像を表示する。具体的には、ディスプレイ２２０は、処理回路２５０から送られる各種情報及び各種画像のデータを表示用の電気信号に変換して出力する。例えば、ディスプレイ２２０は、液晶モニタやタッチパネル等によって実現される。なお、ディスプレイ２２０は、表示部の実現手段の一例である。
【００２２】
通信インターフェース２３０は、処理回路２５０に接続されており、タブレット２００とウェアラブル端末３００及びサーバ１００との間で行われる各種データの伝送及び通信を制御する。通信インターフェース２３０は、例えば、ネットワークカードやネットワークアダプタ、ＮＩＣ等によって実現される。
【００２３】
記憶回路２４０は、処理回路２５０に接続されており、各種データを記憶する。例えば、記憶回路２４０は、ＲＡＭ、フラッシュメモリ等の半導体メモリ素子や、ハードディスク、光ディスク等によって実現される。なお、記憶回路２４０は、記憶部の実現手段の一例である。
【００２４】
処理回路２５０は、入力インターフェース２１０を介して操作者から受け付けた入力操作に応じて、タブレット２００の構成要素を制御する。
【００２５】
例えば、処理回路２５０は、図５に示すように、通信処理機能２５１と、実行処理機能２５２と、警告処理機能２５３とを実行する。ここで、例えば、処理回路２５０の構成要素である通信処理機能２５１、実行処理機能２５２、警告処理機能２５３が実行する各処理機能は、コンピュータによって実行可能なプログラムの形態で記憶回路２４０に記録されている。処理回路２５０は、各プログラムを記憶回路２４０から読み出し、実行することで各プログラムに対応する機能を実現するプロセッサである。換言すると、各プログラムを読み出した状態の処理回路２５０は、図５の処理回路２５０内に示された各機能を有することとなる。ここで、通信処理機能２５１は、通信処理部の一例である。実行処理機能２５２は、実行処理部の一例である。警告処理機能２５３は、警告処理部の一例である。
【００２６】
図６は、サーバ１００の構成の一例を示す図である。図６に示すように、サーバ１００は、通信インターフェース１３０と、記憶回路１４０と、処理回路１５０とを有する。
【００２７】
通信インターフェース１３０は、処理回路１５０に接続されており、サーバ１００とタブレット２００との間で行われる各種データの伝送及び通信を制御する。通信インターフェース１３０は、例えば、ネットワークカードやネットワークアダプタ、ＮＩＣ等によって実現される。
【００２８】
記憶回路１４０は、処理回路１５０に接続されており、各種データを記憶する。例えば、記憶回路１４０は、ＲＡＭ、フラッシュメモリ等の半導体メモリ素子や、ハードディスク、光ディスク等によって実現される。なお、記憶回路１４０は、記憶部の実現手段の一例である。また、記憶回路１４０は、サーバ１００がネットワーク上でアクセス可能であれば、サーバ１００に内蔵されていなくてもよい。
【００２９】
記憶回路１４０は、複数の患者に対してそれぞれ作成された電子カルテ等からの複数の患者情報を記憶する。複数の患者情報の各々は、当該患者の基本情報と診療データとを含む。基本情報は、患者を識別する識別情報、氏名、生年月日、性別、血液型、身長、体重等を含む。診療データには、数値（計測値）や診療記録等の情報と、それらの記録日時を示す情報とが含まれる。例えば、診療データとしては、処方データ、看護記録データ等が挙げられる。処方データは、処方に関する診療データである。また、看護記録データは、看護記録に関する診療データである。
【００３０】
処理回路１５０は、サーバ１００の構成要素を制御する。例えば、処理回路１５０は、図６に示すように、照合機能１５１と、実行処理機能１５２と、割込処理機能１５３と、記録処理機能１５４と、警告処理機能１５５とを実行する。ここで、例えば、処理回路１５０の構成要素である照合機能１５１、実行処理機能１５２、割込処理機能１５３、記録処理機能１５４、警告処理機能１５５が実行する各処理機能は、コンピュータによって実行可能なプログラムの形態で記憶回路１４０に記録されている。処理回路１５０は、各プログラムを記憶回路１４０から読み出し、実行することで各プログラムに対応する機能を実現するプロセッサである。換言すると、各プログラムを読み出した状態の処理回路１５０は、図６の処理回路１５０内に示された各機能を有することとなる。ここで、照合機能１５１は、照合部の一例である。実行処理機能１５２は、実行処理部（第１の実行処理部、第２の実行処理部）の一例である。割込処理機能１５３は、割込処理部の一例である。記録処理機能１５４は、記録処理部の一例である。警告処理機能１５５は、警告処理部（第１の警告処理部、第２の警告処理部、第３の警告処理部）の一例である。
【００３１】
なお、上記説明において用いた「プロセッサ」という文言は、例えば、ＣＰＵ（Central  Processing  Unit）、ＧＰＵ（Graphics  Processing  Unit）、或いは、特定用途向け集積回路（Application  Specific  Integrated  Circuit：ＡＳＩＣ）、プログラマブル論理デバイス（例えば、単純プログラマブル論理デバイス（Simple  Programmable  Logic  Device：ＳＰＬＤ）、複合プログラマブル論理デバイス（Complex  Programmable  Logic  Device：ＣＰＬＤ）、及びフィールドプログラマブルゲートアレイ（Field  Programmable  GateArray：ＦＰＧＡ））等の回路を意味する。プロセッサは記憶回路に保存されたプログラムを読み出し実行することで機能を実現する。なお、記憶回路にプログラムを保存する代わりに、プロセッサの回路内にプログラムを直接組み込むよう構成しても構わない。この場合、プロセッサは回路内に組み込まれたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。
【００３２】
以上、本実施形態に係る医用情報処理システム１の全体構成について説明した。このような構成のもと、患者の取り違いを防止するために、本実施形態に係る医用情報処理システム１では、以下の処理を行う。まず、本実施形態に係る医用情報処理システム１では、スタッフ端末（ウェアラブル端末３００、タブレット２００）が、医療スタッフ（例えば、看護師）が対応する被検体（例えば、患者）の識別情報を取得してサーバ１００に送信する。サーバ１００において、照合機能１５１は、スタッフ端末から送信された識別情報と記憶回路１４０に記憶された識別情報とを照合する。照合の結果、スタッフ端末から送信された識別情報が記憶回路１４０に記憶された識別情報と一致する場合、実行処理機能１５２は、患者に関する被検体情報（例えば、後述のバイタルデータ）を看護師により入力させる入力処理（例えば、後述の看護記録モード）をスタッフ端末に実行させる。記録処理機能１５４は、看護記録モードを中断させるイベントが発生した場合、看護記録モードが中断するまでに看護師により入力された被検体情報（例えば、血圧、脈拍）を、上記一致する識別情報に対応付けて記憶回路１４０に保存させる。また、割込処理機能１５３は、看護記録モードが中断したときに、患者の対応で予定されている項目（例えば、体温、血圧、脈拍）が被検体情報として記憶回路１４０に保存されていない場合、看護記録モードを中断している旨（例えば、後述の注意情報画面）を看護師に通知する情報（例えば、後述の注意情報）をスタッフ端末に送信する。
【００３３】
図７は、第１の実施形態に係る医用情報処理システム１による処理の手順を示すフローチャートである。図８〜図１２は、タブレット２００のディスプレイ２２０に表示される画面の一例を示す図である。
【００３４】
ここで、患者Ａ、Ｂにはそれぞれ識別情報「Ｐ１１１１」、「Ｐ１１１２」が割り当てられている。すなわち、患者Ａ、Ｂの腕には、それぞれ、識別情報「Ｐ１１１１」、「Ｐ１１１２」を発信するデバイス４００Ａ、４００Ｂが設けられたリストバンド４１０が装着されている。この場合、上述のように、ウェアラブル端末３００には、デバイス４００Ａ、４００Ｂと近距離無線通信を行う近距離無線通信機能（近距離無線通信デバイス３６０）が搭載されている。
【００３５】
例えば、医療スタッフ（看護師）は、患者Ａの看護活動を開始するために、患者Ａに近づく（図７のステップＳ１０１）。このとき、看護師に装着されたウェアラブル端末３００の近距離無線通信デバイス３６０は、患者Ａに装着されたリストバンド４１０に設けられたデバイス４００Ａの近距離無線通信範囲（以下、「患者Ａエリア」と記載する）内に存在する。ウェアラブル端末３００は、近距離無線通信デバイス３６０により、デバイス４００Ａから発信された患者Ａの識別情報「Ｐ１１１１」を受信し、通信処理機能３５１により、受信した識別情報「Ｐ１１１１」をタブレット２００に送信する。タブレット２００は、通信処理機能２５１により、ウェアラブル端末３００から送信された患者Ａの識別情報「Ｐ１１１１」を受信し、サーバ１００に送信する（図７のステップＳ１０２）。
【００３６】
サーバ１００は、照合機能１５１により、タブレット２００から送信された患者Ａの識別情報「Ｐ１１１１」を受信し、記憶回路１４０に記憶された患者情報に含まれる識別情報と、受信した患者Ａの識別情報「Ｐ１１１１」とを照合する。照合の結果、これらは一致する場合、実行処理機能１５２は、受信した患者Ａの識別情報「Ｐ１１１１」に一致する識別情報を含む患者情報（患者Ａの患者情報）を記憶回路１４０から読み出してタブレット２００に送信する（図７のステップＳ１０３）。
【００３７】
ここで、看護師が患者Ａから離れるまで、すなわち、看護師が患者Ａエリアにいる間、デバイス４００Ａから発信された患者Ａの識別情報「Ｐ１１１１」は、スタッフ端末（ウェアラブル端末３００、タブレット２００）を経由してサーバ１００に送信される。この場合、看護師が患者Ａエリアにいる間、スタッフ端末（ウェアラブル端末３００、タブレット２００）及びサーバ１００は、患者Ａの看護記録を記憶回路１４０に記録させる看護記録モードを実行する（以下、「患者Ａ看護記録モード」と記載する）。
【００３８】
患者Ａ看護記録モードにおいて、タブレット２００は、通信処理機能２５１により、サーバ１００から送信された患者Ａの患者情報を受信し、実行処理機能２５２により、受信した患者Ａの患者情報として、図８に示す画面２０をディスプレイ２２０に表示させる（図７のステップＳ１０４）。
【００３９】
図８に示すように、患者Ａの患者情報を表す画面２０は、患者Ａの患者情報に含まれる基本情報を表示する基本情報表示欄２１と、医療スタッフが行う処理を選択するための選択欄２２と、処方データや看護記録データ等の診療データを表示する診療データ表示欄２３とを含む。例えば、基本情報表示欄２１には、患者Ａの基本情報として、患者Ａを識別する識別情報「Ｐ１１１１」、氏名「患者Ａ」、生年月日「２０００年１月１日生」、性別「男」、血液型「Ａ型」、身長「１７０ｃｍ」、体重「６０ｋｇ」等が表示される。選択欄２２には、例えば、医師が処方等をオーダするときに操作する「オーダ」ボタン２２Ａや、看護師が看護記録を入力するときに操作する「記録」ボタン２２Ｂ等が含まれる。
【００４０】
患者Ａ看護記録モードにおいて、例えば、看護師が、患者Ａの患者情報を表す画面２０の「記録」ボタン２２Ｂを操作した場合、図９に示すように、タブレット２００は、実行処理機能２５２により、当該画面２０上に、患者Ａの看護記録を入力するための看護記録画面３０を表示させる。図９に示すように、看護記録画面３０は、入力欄３１〜３３、４０を含む。入力欄３１〜３３は、必須項目として、患者Ａの看護記録で予定されているバイタルデータを入力する欄である。例えば、患者Ａの看護記録で予定されているバイタルデータは、患者Ａの体温、血圧、脈拍であり、入力欄３１、３２、３３は、それぞれ、患者Ａの体温、血圧、脈拍を入力する欄である。ここで、患者Ａの看護記録で予定されているバイタルデータは、体温、血圧、脈拍等に限らず、患者の病状などに応じて、介助、注射、点滴、観察などの項目や、排泄量、食事量などの項目が含まれていてもよい。入力欄４０は、その他の項目として、看護師が気づいた点などを入力する欄である。例えば、看護師が気づいた点として、患者の顔色が悪いとか、患者の食欲がないとか、吐血があった等の情報が挙げられる。
【００４１】
患者Ａ看護記録モードにおいて、看護師は、患者Ａの処置を開始する（図７のステップＳ１０５）。例えば、看護師は、患者Ａの看護記録で予定されているバイタルデータのうち、患者Ａの血圧「１３０／９０」、脈拍「６５」を計測する。そして、看護師は、タブレット２００を操作して、計測した患者Ａの血圧「１３０／９０」、脈拍「６５」をそれぞれ看護記録画面３０の入力欄３２、３３に入力する（図７のステップＳ１０６）。
【００４２】
ここで、患者Ｂがナースコールを用いることで看護師を呼び出す中断イベントが発生した場合（図７のステップＳ１０７）、サーバ１００は、スタッフ端末（ウェアラブル端末３００、タブレット２００）が実行している患者Ａ看護記録モードを中断させるために、割込処理機能１５３により、アラームをタブレット２００に送信する（図７のステップＳ１０８）。例えば、タブレット２００には、現在の位置情報を計測してサーバ１００に送信する機能が搭載され、患者Ａのベッドに近い患者Ｂがベッドで看護師を呼び出す等のナースコールを行った場合、割込処理機能１５３は、患者Ｂから呼び出しがある旨を表すアラームを、患者Ａを看護している看護師のタブレット２００に送信する。患者Ａを看護している看護師のタブレット２００がサーバ１００からのアラームを受信した場合、当該タブレット２００は、例えば、アラームとして患者Ｂから呼び出しがある旨をディスプレイ２２０に表示させたり、音を鳴らしたりする等により、患者Ａを看護している看護師に通知する。
【００４３】
なお、本実施形態では、タブレット２００が、患者Ｂから呼び出しがある旨を、患者Ｂの近くにいる患者Ａを看護している看護師に通知しているが、これに限定されない。例えば、ウェアラブル端末３００が、患者Ｂから呼び出しがある旨を、当該看護師に通知してもよい。また、中断イベントの発生として、患者Ｂは、ナースコールを用いることで看護師を呼び出しているが、患者Ｂの近くにいる患者Ａを看護している看護師を、声掛けなどにより、直接呼び出してもよい。
【００４４】
患者Ａを看護している看護師は、患者Ｂからの呼び出しにより、患者Ａから離れ（図７のステップＳ１０９）、患者Ｂに近づく（図７のステップＳ１１０）。このとき、看護師に装着されたウェアラブル端末３００の近距離無線通信デバイス３６０は、患者Ｂに装着されたリストバンド４１０に設けられたデバイス４００Ｂの近距離無線通信範囲（以下、「患者Ｂエリア」と記載する）内に存在する。ウェアラブル端末３００は、近距離無線通信デバイス３６０により、デバイス４００Ｂから発信された患者Ｂの識別情報「Ｐ１１１２」を受信し、通信処理機能３５１により、受信した識別情報「Ｐ１１１２」をタブレット２００に送信する。タブレット２００は、通信処理機能２５１により、ウェアラブル端末３００から送信された患者Ｂの識別情報「Ｐ１１１２」を受信する（図７のステップＳ１１１）。
【００４５】
ここで、タブレット２００は、受信した患者Ｂの識別情報「Ｐ１１１２」をサーバ１００に送信する前に、実行中の患者Ａ看護記録モードを中断させる。例えば、タブレット２００の通信処理機能２５１は、患者Ａの看護記録で予定されているバイタルデータのうち、看護記録画面３０の入力欄３２、３３にそれぞれ入力された患者Ａの血圧「１３０／９０」、脈拍「６５」を患者Ａの患者情報として記憶回路１４０に保存するための保存要求をサーバ１００に送信する（図７のステップＳ１１２）。サーバ１００は、記録処理機能１５４により、タブレット２００から保存要求として送信された患者Ａの患者情報（患者Ａの血圧「１３０／９０」、脈拍「６５」）を受信し、受信した患者Ａの患者情報を記憶回路１４０に保存させる（図７のステップＳ１１３）。
【００４６】
ステップＳ１１３において、患者Ａの看護記録で予定されているバイタルデータのうち、患者Ａの血圧「１３０／９０」、脈拍「６５」がサーバ１００の記憶回路１４０に保存されているが、患者Ａの体温は記憶回路１４０に保存されていない。このため、サーバ１００の割込処理機能１５３は、患者Ａの看護記録で予定されているバイタルデータの全て（患者Ａの体温、血圧、脈拍）が揃っていないことを認識する。すなわち、サーバ１００の割込処理機能１５３は、患者Ａ看護記録モードを中断していることを認識する。この場合、患者Ａの看護記録で予定されているバイタルデータの全て（患者Ａの体温、血圧、脈拍）が揃うまで、患者Ａの患者情報（患者Ａの血圧「１３０／９０」、脈拍「６５」）は、記憶回路１４０に一時保存される。
【００４７】
また、ステップＳ１１３において、サーバ１００は、記録処理機能１５４により、看護師が行った患者Ａの看護活動の記録（看護記録）を時系列で記憶回路１４０に保存させる。例えば、ステップＳ１１２において、タブレット２００からサーバ１００に送信される保存要求には、患者Ａの看護活動の記録として、例えば、看護師が患者Ａの看護活動を開始したときの開始時刻と、看護師が患者Ａの看護活動を中断したときの中断時刻とが含まれ、ステップＳ１１３において、サーバ１００は、記録処理機能１５４により、患者Ａの看護活動の記録（開始時刻、中断時刻を含む）についても、患者Ａの患者情報として記憶回路１４０に保存させる。例えば、患者Ａの看護活動の開始時刻は、タブレット２００が最初に患者Ａの識別情報「Ｐ１１１１」を受信した時刻であり、患者Ａの看護活動の中断時刻は、タブレット２００が行う患者Ａの識別情報「Ｐ１１１１」の受信が途切れた時刻である。具体的には、タブレット２００が行う患者Ａの識別情報「Ｐ１１１１」の受信が途切れた時刻において、患者Ａの看護記録で予定されているバイタルデータの全て（患者Ａの体温、血圧、脈拍）が記憶回路１４０に保存されていない場合、サーバ１００は、当該受信が途切れた時刻を、患者Ａの看護活動の中断時刻として記憶回路１４０に保存させる。
【００４８】
なお、本実施形態では、患者Ａを看護している看護師が、患者Ａから離れ（図７のステップＳ１０９）、患者Ｂに近づいたとき（図７のステップＳ１１０）、タブレット２００は、患者Ｂの識別情報「Ｐ１１１２」をウェアラブル端末３００から受信した場合（図７のステップＳ１１１）に、保存要求をサーバ１００に送信し（図７のステップＳ１１２）、サーバ１００は、保存要求に応じて患者Ａの患者情報を一時保存しているが（図７のステップＳ１１３）、これに限定されない。例えば、患者Ａを看護している看護師が、単に患者Ａから離れたとき（図７のステップＳ１０９）、タブレット２００は、所定時間が経過しても、患者Ａの識別情報「Ｐ１１１１」をウェアラブル端末３００から受信しない場合、保存要求をサーバ１００に送信し（図７のステップＳ１１２）、サーバ１００は、保存要求に応じて患者Ａの患者情報を一時保存してもよい（図７のステップＳ１１３）。
【００４９】
また、本実施形態では、患者Ｂがナースコールを用いることで看護師を呼び出す場合を、中断イベントの発生としているが、これに限定されない。例えば、患者Ａを看護している看護師が、単に患者Ａから離れたことにより（図７のステップＳ１０９）、サーバ１００の割込処理機能１５３は、所定時間が経過しても、デバイス４００Ａから発信された患者Ａの識別情報「Ｐ１１１１」をスタッフ端末（ウェアラブル端末３００、タブレット２００）を経由して受信しない場合、中断イベントの発生として判断してもよい。
【００５０】
次に、タブレット２００は、上記保存要求をサーバ１００に送信した後、受信した患者Ｂの識別情報「Ｐ１１１２」をサーバ１００に送信する（図７のステップＳ１１４）。
【００５１】
サーバ１００は、照合機能１５１により、タブレット２００から送信された患者Ｂの識別情報「Ｐ１１１２」を受信し、記憶回路１４０に記憶された患者情報に含まれる識別情報と、受信した患者Ｂの識別情報「Ｐ１１１２」とを照合する。照合の結果、これらは一致する場合、実行処理機能１５２は、受信した患者Ｂの識別情報「Ｐ１１１２」に一致する識別情報を含む患者情報（患者Ｂの患者情報）を記憶回路１４０から読み出してタブレット２００に送信する（図７のステップＳ１１５）。
【００５２】
ここで、看護師が患者Ｂから離れるまで、すなわち、看護師が患者Ｂエリアにいる間、デバイス４００Ｂから発信された患者Ｂの識別情報「Ｐ１１１２」は、スタッフ端末（ウェアラブル端末３００、タブレット２００）を経由してサーバ１００に送信される。この場合、看護師が患者Ｂエリアにいる間、スタッフ端末（ウェアラブル端末３００、タブレット２００）及びサーバ１００は、患者Ｂの看護記録を記憶回路１４０に記録させる看護記録モードを実行する（以下、「患者Ｂ看護記録モード」と記載する）。
【００５３】
患者Ｂ看護記録モードにおいて、タブレット２００は、通信処理機能２５１により、サーバ１００から送信された患者Ｂの患者情報を受信し、実行処理機能２５２により、受信した患者Ｂの患者情報として、図１０に示す画面２０をディスプレイ２２０に表示させる（図７のステップＳ１１６）。
【００５４】
図１０に示すように、患者Ｂの患者情報を表す画面２０の基本情報表示欄２１には、患者Ｂの基本情報として、患者Ｂを識別する識別情報「Ｐ１１１２」、氏名「患者Ｂ」、生年月日「１９８０年２月２日生」、性別「男」、血液型「Ｂ型」、身長「１６５ｃｍ」、体重「７０ｋｇ」等が表示される。
【００５５】
上述のように、サーバ１００の割込処理機能１５３は、患者Ａ看護記録モードを中断していることを認識している。このため、サーバ１００の割込処理機能１５３は、患者Ａ看護記録モードを中断している旨を注意情報としてタブレット２００に送信する。この場合、タブレット２００は、通信処理機能２５１により、当該注意情報をサーバ１００から受信し、実行処理機能２５２により、受信した注意情報として、図１０に示す注意情報画面５０をディスプレイ２２０に表示させる。具体的には、タブレット２００は、注意情報画面５０を、患者Ｂの患者情報を表す画面２０上に表示させる（図７のステップＳ１１７）。例えば、注意情報画面５０は、注意を表すメッセージ「患者Ａさんの処置を中断しています」を含み、ポップアップ画面として、患者Ｂの患者情報を表す画面２０上に表示される。
【００５６】
ここで、患者Ａ看護記録モードが中断した場合に、図７のステップＳ１１７において、看護師による入力操作を制限する例について説明する。
【００５７】
例えば、看護師は、患者Ａエリアで、患者Ａの血圧「１３０／９０」、脈拍「６５」を計測して（図７のステップＳ１０５）、計測した患者Ａの血圧「１３０／９０」、脈拍「６５」を、それぞれ、図９の看護記録画面３０の入力欄３２、３３に入力した後（図７のステップＳ１０６）、体温計を用いて患者Ａの体温も計測したが、図９の看護記録画面３０の入力欄３１に患者Ａの体温を入力する前に、患者Ｂによる中断イベントが発生したものとする（図７のステップＳ１０７、Ｓ１０８）。このとき、看護師は、患者Ａの体温を計測した体温計を持ったまま、患者Ａから離れ、患者Ｂに近づいた場合（図７のステップＳ１０９、Ｓ１１０）、患者Ａ看護記録モードが中断され（図７のステップＳ１１１〜Ｓ１１３）、患者Ｂ看護記録モードが実行されるため（図７のステップＳ１１４〜Ｓ１１６）、患者Ｂエリアで、患者Ａの体温を患者Ｂの体温として誤入力する恐れがある。
【００５８】
このような誤入力を防止するために、本実施形態では、患者Ａ看護記録モードが中断したときに、看護師が患者Ａエリアにいない場合は、図７のステップＳ１１７において、タブレット２００は、実行処理機能２５２により、患者Ｂに関する入力操作が容易に行われないようにする。具体的には、タブレット２００は、患者Ａ看護記録モードが中断したときに、すなわち、直前に看護師が処置した患者Ａの体温のデータが未入力であった場合に、その旨を看護師に確認させるボタン（図示しない）を、例えば、図１０の注意情報画面５０上に表示させる。そして、タブレット２００は、看護師が該ボタンを押下した場合に、すなわち、看護師が直前に処置した患者Ａの体温のデータが未入力であることを確認した場合に、患者Ｂに関する入力操作を可能とする。これにより、本実施形態では、看護師が患者Ｂエリアで患者Ａの体温を患者Ｂの体温として誤入力することを防止することができる。
【００５９】
さらに、看護師が後から確認できるように、患者Ａ看護記録モードが再開したときに、タブレット２００は、実行処理機能２５２により、患者Ａの体温のデータが未入力であることを表すメッセージを、図９の看護記録画面３０と併せて表示させてもよい。又は、図９の看護記録画面３０の入力欄３１には、該当データ（すなわち、体温のデータ）が未入力であることを看護師に注目させるための情報が、マーキングや点滅などの方法によって、上記メッセージと併せて表示されてもよい。
【００６０】
患者Ｂ看護記録モードにおいて、例えば、看護師が、患者Ｂの患者情報を表す画面２０の「記録」ボタン２２Ｂを操作した場合、図１１に示すように、タブレット２００は、実行処理機能２５２により、当該画面２０上に、注意情報画面５０と重ならない位置に、患者Ｂの看護記録を入力するための看護記録画面３０を表示させる。
【００６１】
患者Ｂ看護記録モードにおいて、看護師は、患者Ｂの処置を開始する（図７のステップＳ１１８）。例えば、患者Ｂは、吐血していたので、看護師を呼び出していた場合、看護師は、患者Ｂの処置を終了したときに（図７のステップＳ１１９）、タブレット２００を操作して、図１１に示すように、患者Ｂの看護記録「○時○分に吐血あり」を看護記録画面３０の入力欄４０に入力する（図７のステップＳ１２０）。
【００６２】
次に、看護師は、タブレット２００を操作して、看護記録画面３０を閉じる。このとき、患者Ｂの患者情報を表す画面２０は、図１１に示す画面２０から、図１０に示す画面２０に戻る。また、このとき、タブレット２００の通信処理機能２５１は、看護記録画面３０の入力欄４０に入力された患者Ｂの看護記録「○時○分に吐血あり」を患者Ｂの患者情報として記憶回路１４０に保存するための保存要求をサーバ１００に送信する（図７のステップＳ１２１）。サーバ１００は、記録処理機能１５４により、タブレット２００から保存要求として送信された患者Ｂの患者情報（患者Ｂの看護記録「○時○分に吐血あり」）を受信し、受信した患者Ｂの患者情報を記憶回路１４０に保存させる（図７のステップＳ１２２）。すなわち、患者Ｂの患者情報を更新する。
【００６３】
ステップＳ１２２において、サーバ１００は、記録処理機能１５４により、看護師が行った患者Ｂの看護活動の記録（看護記録）を時系列で記憶回路１４０に保存させる。例えば、ステップＳ１２１において、タブレット２００からサーバ１００に送信される保存要求には、患者Ｂの看護活動の記録として、例えば、看護師が患者Ｂの看護活動を開始したときの開始時刻と、看護師が患者Ｂの看護活動を終了したときの終了時刻とが含まれ、ステップＳ１２２において、サーバ１００は、記録処理機能１５４により、患者Ｂの看護活動の記録（開始時刻、終了時刻を含む）についても、患者Ｂの患者情報として記憶回路１４０に保存させる。例えば、患者Ｂの看護活動の開始時刻は、タブレット２００が最初に患者Ｂの識別情報「Ｐ１１１２」を受信した時刻であり、患者Ｂの看護活動の終了時刻は、タブレット２００が行う患者Ｂの識別情報「Ｐ１１１２」の受信が途切れた時刻である。また、サーバ１００は、記録処理機能１５４により、患者Ｂがナースコールを用いることで看護師を呼び出す中断イベントが発生したイベント発生時刻についても、患者Ｂの患者情報として記憶回路１４０に保存させてもよい。
【００６４】
患者Ｂを看護した看護師は、画面２０上に表示された注意情報画面５０のメッセージ「患者Ａさんの処置を中断しています」を基に、患者Ｂから離れ（図７のステップＳ１２３）、患者Ａに近づく（図７のステップＳ１２４）。このとき、看護師に装着されたウェアラブル端末３００の近距離無線通信デバイス３６０は、患者Ａエリア内に存在する。ウェアラブル端末３００は、近距離無線通信デバイス３６０により、デバイス４００Ａから発信された患者Ａの識別情報「Ｐ１１１１」を受信し、通信処理機能３５１により、受信した識別情報「Ｐ１１１１」をタブレット２００に送信する。タブレット２００は、通信処理機能２５１により、ウェアラブル端末３００から送信された患者Ａの識別情報「Ｐ１１１１」を受信し、サーバ１００に送信する（図７のステップＳ１２５）。
【００６５】
サーバ１００は、照合機能１５１により、タブレット２００から送信された患者Ａの識別情報「Ｐ１１１１」を受信し、記憶回路１４０に記憶された患者情報に含まれる識別情報と、受信した患者Ａの識別情報「Ｐ１１１１」とを照合する。照合の結果、これらは一致する場合、実行処理機能１５２は、受信した患者Ａの識別情報「Ｐ１１１１」に一致する識別情報を含む患者情報（患者Ａの患者情報）を記憶回路１４０から読み出してタブレット２００に送信する（図７のステップＳ１２６）。
【００６６】
ここで、看護師が患者Ａから離れるまで、すなわち、看護師が患者Ａエリアにいる間、デバイス４００Ａから発信された患者Ａの識別情報「Ｐ１１１１」は、スタッフ端末（ウェアラブル端末３００、タブレット２００）を経由してサーバ１００に送信される。この場合、看護師が患者Ａエリアにいる間、スタッフ端末（ウェアラブル端末３００、タブレット２００）及びサーバ１００は、患者Ａ看護記録モードを再開する。
【００６７】
患者Ａ看護記録モードにおいて、タブレット２００は、通信処理機能２５１により、サーバ１００から送信された患者Ａの患者情報を受信し、実行処理機能２５２により、受信した患者Ａの患者情報として、図９に示す画面２０をディスプレイ２２０に表示させる。すなわち、タブレット２００は、実行処理機能２５２により、当該画面２０上に、患者Ａの看護記録で予定されているバイタルデータのうち、患者Ａの血圧「１３０／９０」、脈拍「６５」がそれぞれ入力欄３２、３３に入力された看護記録画面３０を表示させる（図７のステップＳ１２７）。
【００６８】
患者Ａ看護記録モードにおいて、看護師は、患者Ａの処置を再開する（図７のステップＳ１２８）。例えば、看護師は、患者Ａの看護記録で予定されているバイタルデータのうち、患者Ａの体温「３６．９」を計測し、患者Ａの処置を終了する（図７のステップＳ１２９）。そして、図１２に示すように、看護師は、タブレット２００を操作して、計測した患者Ａの体温「３６．９」を看護記録画面３０の入力欄３１に入力する（図７のステップＳ１３０）。
【００６９】
次に、看護師は、タブレット２００を操作して、看護記録画面３０を閉じる。このとき、患者Ａの患者情報を表す画面２０は、図１２に示す画面２０から、図８に示す画面２０に戻る。また、タブレット２００の通信処理機能２５１は、患者Ａの看護記録で予定されているバイタルデータとして、看護記録画面３０の入力欄３１、３２、３３にそれぞれ入力された患者Ａの体温「３６．９」、血圧「１３０／９０」、脈拍「６５」を患者Ａの患者情報として記憶回路１４０に保存するための保存要求をサーバ１００に送信する（図７のステップＳ１３１）。サーバ１００は、記録処理機能１５４により、タブレット２００から保存要求として送信された患者Ａの患者情報（患者Ａの体温「３６．９」、血圧「１３０／９０」、脈拍「６５」）を受信し、受信した患者Ａの患者情報を記憶回路１４０に保存させる（図７のステップＳ１３２）。すなわち、患者Ａの患者情報を更新する。
【００７０】
また、ステップＳ１３２において、サーバ１００は、記録処理機能１５４により、看護師が行った患者Ａの看護活動の記録を時系列で記憶回路１４０に保存させる。例えば、ステップＳ１３１において、タブレット２００からサーバ１００に送信される保存要求には、患者Ａの看護活動の記録として、例えば、看護師が患者Ａの看護活動を再開したときの再開時刻と、看護師が患者Ａの看護活動を終了したときの終了時刻とが含まれ、ステップＳ１３２において、サーバ１００は、記録処理機能１５４により、患者Ａの看護活動の記録（再開時刻、終了時刻）についても、患者Ａの患者情報として記憶回路１４０に保存させる。例えば、患者Ａの看護活動の再開時刻は、タブレット２００が最初に患者Ａの識別情報「Ｐ１１１１」を受信した時刻であり、患者Ａの看護活動の終了時刻は、タブレット２００が行う患者Ａの識別情報「Ｐ１１１１」の受信が途切れた時刻である。具体的には、タブレット２００が最初に患者Ａの識別情報「Ｐ１１１１」を受信した時刻において、患者Ａの看護記録で予定されているバイタルデータの全て（患者Ａの体温、血圧、脈拍）が記憶回路１４０に保存されていない場合、サーバ１００は、当該受信した時刻を、患者Ａの看護活動の再開時刻として記憶回路１４０に保存させる。タブレット２００が行う患者Ａの識別情報「Ｐ１１１１」の受信が途切れた時刻において、患者Ａの看護記録で予定されているバイタルデータの全て（患者Ａの体温、血圧、脈拍）が記憶回路１４０に保存された場合、サーバ１００は、当該受信が途切れた時刻を、患者Ａの看護活動の終了時刻として記憶回路１４０に保存させる。
【００７１】
このように、第１の実施形態では、例えば、医療スタッフである看護師が看護活動を行うために患者Ａに近づいたときに、スタッフ端末（ウェアラブル端末３００、タブレット２００）が患者Ａの識別情報「Ｐ１１１１」をデバイス４００Ａから自動的に取得し、取得した患者Ａの識別情報「Ｐ１１１１」がサーバ１００の記憶回路１４０に記憶された識別情報と一致する場合に、当該一致する識別情報を含む患者情報（患者Ａの患者情報）をタブレット２００に送信し、タブレット２００は、患者Ａの患者情報を表す画面２０をディスプレイ２２０に表示させている。そして、患者Ａの看護記録で予定されているバイタルデータの全て（患者Ａの体温、血圧、脈拍）が記憶回路１４０に保存されていないときに、看護師が患者Ａから離れた場合、サーバ１００は、患者Ａの看護記録を中断している旨を注意情報としてタブレット２００に送信し、タブレット２００は、注意情報を表す注意情報画面５０をディスプレイ２２０に表示させることにより、看護師に通知する。これにより、第１の実施形態では、看護師による看護記録の誤入力を防止することができる。すなわち、本実施形態によれば、患者の取り違いを防止することができる。
【００７２】
（第１の変形例）
第１の実施形態では、例えば、看護師が患者Ａエリアにいる間、スタッフ端末（ウェアラブル端末３００、タブレット２００）及びサーバ１００は、患者Ａ看護記録モードを実行するが、これに限定されない。例えば、第１の変形例として、サーバ１００が患者Ａの顔画像を認識している間、スタッフ端末（ウェアラブル端末３００、タブレット２００）及びサーバ１００は、患者Ａ看護記録モードを実行してもよい。
【００７３】
図１３及び図１４は、第１の変形例におけるウェアラブル端末３００の構成の一例を示す図である。ウェアラブル端末３００は、例えば、図１３に示すように、メガネ型のウェアラブル端末であり、医療スタッフの顔に装着される。この場合、図１４に示すように、ウェアラブル端末３００は、図４の近距離無線通信デバイス３６０に代えて、カメラ３７０を有する。
【００７４】
カメラ３７０は、医療スタッフが患者を対応するときに、その患者の顔画像を撮影する。ウェアラブル端末３００がメガネ型のウェアラブル端末であるため、カメラ３７０は、医療スタッフの目線で患者の顔画像を撮影することができる。例えば、ディスプレイ３２０は、メガネの医療スタッフの視線を妨げない位置に設けられ、カメラ３７０により撮影された患者の顔画像を表示する。例えば、ウェアラブル端末３００は、カメラ３７０により、患者Ａの顔画像を撮影し、通信処理機能３５１により、患者Ａの顔画像をタブレット２００に送信する。タブレット２００は、通信処理機能２５１により、ウェアラブル端末３００から送信された患者Ａの顔画像を受信し、サーバ１００に送信する。
【００７５】
サーバ１００において、記憶回路１４０に記憶される複数の患者情報の各々の基本情報には、照合用に、予め撮影された患者の顔画像が含まれる。サーバ１００は、照合機能１５１により、タブレット２００から送信された患者Ａの顔画像を受信し、記憶回路１４０に記憶された患者情報に含まれる顔画像と、受信した患者Ａの顔画像とを照合する。照合の結果、これらは一致する場合、実行処理機能１５２は、受信した患者Ａの顔画像に一致する識別情報を含む患者情報（患者Ａの患者情報）を記憶回路１４０から読み出してタブレット２００に送信する。
【００７６】
ここで、看護師が患者Ａから離れるまで、すなわち、サーバ１００が患者Ａの顔画像を認識している間、スタッフ端末（ウェアラブル端末３００、タブレット２００）及びサーバ１００は、患者Ａの看護記録を記憶回路１４０に記録させる看護記録モード（患者Ａ看護記録モード）を実行する。
【００７７】
なお、患者のベッドサイドに患者の識別情報が記載されている場合、医療スタッフは、カメラ３７０により、当該患者の顔と、当該患者のベッドサイドに記載された識別情報とが映るように、患者の顔画像を撮影してもよい。この場合、サーバ１００において、記憶回路１４０に記憶される複数の患者情報の各々の基本情報には、照合用に、予め撮影された患者の顔画像と、当該患者のベッドサイドに記載された識別情報とが含まれる。
【００７８】
（第２の変形例）
第１の実施形態、及び、第１の変形例では、例えば、患者Ａ看護記録モードを中断している旨を注意情報としてタブレット２００のディスプレイ２２０に表示させることにより看護師に通知しているが、これに限定されない。例えば、第２の変形例として、患者Ａ看護記録モードを中断している旨を注意情報としてウェアラブル端末３００のディスプレイ３２０にも表示させてもよい。
【００７９】
図１５及び図１６は、第２の変形例におけるウェアラブル端末３００のディスプレイ３２０に表示される画面の一例を示す図である。
【００８０】
タブレット２００は、通信処理機能２５１により、患者Ａ看護記録モードを中断している旨を注意情報としてサーバ１００から受信し、実行処理機能２５２により、受信した注意情報として注意情報画面５０（図１０）をディスプレイ２２０に表示させる。そして、タブレット２００は、通信処理機能２５１により、受信した注意情報をウェアラブル端末３００に送信し、ウェアラブル端末３００は、受信した注意情報として注意情報画面５１をディスプレイ３２０に表示させる。例えば、図１５に示すように、ウェアラブル端末３００は、腕時計型のウェアラブル端末である場合、注意を表すメッセージ「中断あり」を含む注意情報画面５１をディスプレイ３２０に表示させる。例えば、図１６に示すように、ウェアラブル端末３００は、メガネ型のウェアラブル端末である場合、注意情報画面５１を、ディスプレイ３２０の看護師の視線を妨げない位置に表示させる。
【００８１】
（第３の変形例）
第１の実施形態、及び、第１、第２の変形例では、例えば、看護師が患者Ａエリアにいる間、スタッフ端末（ウェアラブル端末３００、タブレット２００）及びサーバ１００は、患者Ａ看護記録モードを実行する。しかし、患者Ａと患者Ｂとが近くにいる場合、看護師が患者Ａエリアと患者Ｂエリアとの両方のエリアにいる場合も考えられる。第３の変形例では、これを解決する。
【００８２】
図１７は、第３の変形例における医用情報処理システム１による処理の手順を示すフローチャートである。図１８は、第３の変形例におけるタブレット２００のディスプレイ２２０に表示される画面の一例を示す図である。
【００８３】
例えば、医療スタッフ（看護師）は、患者Ａの看護活動を開始するために、患者Ａに近づく。しかし、患者Ａの近くには患者Ｂも存在する（図１７のステップＳ２０１）。このとき、看護師に装着されたウェアラブル端末３００は、患者Ａエリア内に存在するが、患者Ｂエリア内にも存在する。ウェアラブル端末３００は、デバイス４００Ａ及びデバイス４００Ｂからそれぞれ発信された患者Ａの識別情報「Ｐ１１１１」及び患者Ｂの識別情報「Ｐ１１１２」を受信し、タブレット２００に送信する。タブレット２００は、ウェアラブル端末３００から送信された患者Ａの識別情報「Ｐ１１１１」及び患者Ｂの識別情報「Ｐ１１１２」を受信し、サーバ１００に送信する（図１７のステップＳ２０２、Ｓ２０３）。
【００８４】
サーバ１００は、照合機能１５１により、タブレット２００から送信された患者Ａの識別情報「Ｐ１１１１」及び患者Ｂの識別情報「Ｐ１１１２」を受信し、記憶回路１４０に記憶された患者情報に含まれる識別情報と、受信した患者Ａの識別情報「Ｐ１１１１」及び患者Ｂの識別情報「Ｐ１１１２」とを照合する。照合の結果、これらは一致する。この場合、照合機能１５１は、受信した患者Ａの識別情報「Ｐ１１１１」及び患者Ｂの識別情報「Ｐ１１１２」に一致する識別情報を含む患者情報（患者Ａの患者情報、及び、患者Ｂの患者情報）を記憶回路１４０から読み出す。
【００８５】
ここで、サーバ１００の警告処理機能１５５は、記憶回路１４０から読み出された患者情報が複数存在するため、その旨を警告情報としてタブレット２００に送信する（図１７のステップＳ２０４）。また、サーバ１００の警告処理機能１５５は、当該警告情報をタブレット２００に送信したことを記憶回路１４０に記録する。この場合、タブレット２００は、通信処理機能２５１により、当該警告情報をサーバ１００から受信し、警告処理機能２５３により、受信した警告情報として、図１８に示す警告情報画面６０をディスプレイ２２０に表示させる（図１７のステップＳ２０５）。例えば、警告情報画面６０は、警告を表すメッセージ「近くに複数の患者が存在します」が記載された表示欄６１と、患者情報を選択する選択欄６２とを含む。選択欄６２は、患者Ａの患者情報を選択する選択欄６２Ａと、患者Ｂの患者情報を選択する選択欄６２Ｂとを含む。また、表示欄６１には、看護師へのサポートとして、患者Ａ及び患者Ｂを特定するための情報（患者Ａ及び患者Ｂの名前、生年月日等）が、上記メッセージと併せて表示されてもよい。又は、表示欄６１には、看護師に注目させるために、患者Ａ及び患者Ｂを特定するための情報が、マーキングや点滅などの方法によって、上記メッセージと併せて表示されてもよい。
【００８６】
例えば、看護師は、患者Ａ及び患者Ｂのうち、患者Ａに声掛けを行い（図１７のステップＳ２０６）、患者Ａが応答した場合（図１７のステップＳ２０７）、警告情報画面６０の選択欄６２Ａを操作する。この場合、タブレット２００は、選択欄６２Ａの操作により、患者Ａの患者情報が選択された旨を表す選択情報をサーバ１００に送信する（図１７のステップＳ２０８）。
【００８７】
サーバ１００は、実行処理機能１５２により、タブレット２００から送信された選択情報を受信し、受信した選択情報に応じて、記憶回路１４０から読み出した患者Ａの患者情報をタブレット２００に送信する（図１７のステップＳ２０９）。この場合、看護師が患者Ａエリアにいる間、スタッフ端末（ウェアラブル端末３００、タブレット２００）及びサーバ１００は、患者Ａの看護記録を記憶回路１４０に記録させる看護記録モード（患者Ａ看護記録モード）を実行する。
【００８８】
患者Ａ看護記録モードにおいて、タブレット２００は、サーバ１００から送信された患者Ａの患者情報を受信し、受信した患者Ａの患者情報を表す画面２０をディスプレイ２２０に表示させる（図１７のステップＳ２１０）。例えば、看護師が、患者Ａの患者情報を表す画面２０の「記録」ボタン２２Ｂを操作した場合、タブレット２００は、当該画面２０上に看護記録画面３０を表示させる。
【００８９】
患者Ａ看護記録モードにおいて、看護師は、患者Ａの処置を開始する（図１７のステップＳ２１１）。例えば、看護師は、患者Ａの看護記録で予定されているバイタルデータとして、患者Ａの体温「３６．９」、血圧「１３０／９０」、脈拍「６５」を計測し、患者Ａの処置を終了する（図１７のステップＳ２１２）。そして、看護師は、タブレット２００を操作して、計測した患者Ａの体温「３６．９」、血圧「１３０／９０」、脈拍「６５」をそれぞれ看護記録画面３０の入力欄３１、３２、３３に入力する（図１７のステップＳ２１３）。
【００９０】
次に、看護師は、タブレット２００を操作して、看護記録画面３０を閉じる。このとき、タブレット２００は、患者Ａの看護記録で予定されているバイタルデータとして、看護記録画面３０の入力欄３１、３２、３３にそれぞれ入力された患者Ａの体温「３６．９」、血圧「１３０／９０」、脈拍「６５」を患者Ａの患者情報として記憶回路１４０に保存するための保存要求をサーバ１００に送信する（図１７のステップＳ２１４）。サーバ１００は、記録処理機能１５４により、タブレット２００から保存要求として送信された患者Ａの患者情報（患者Ａの体温「３６．９」、血圧「１３０／９０」、脈拍「６５」）を受信し、受信した患者Ａの患者情報を記憶回路１４０に保存させる（図１７のステップＳ２１５）。すなわち、患者Ａの患者情報を更新する。
【００９１】
（第４の変形例）
第１の実施形態、及び、第１〜第３の変形例では、例えば、看護師が患者Ａエリアにいる間、スタッフ端末（ウェアラブル端末３００、タブレット２００）及びサーバ１００は、患者Ａ看護記録モードを実行するが、これに限定されない。例えば、第４の変形例として、サーバ１００が患者Ａの名前を表す音声を認識することで、スタッフ端末（ウェアラブル端末３００、タブレット２００）及びサーバ１００は、患者Ａ看護記録モードを実行してもよい。
【００９２】
図１９及び図２０は、第４の変形例におけるウェアラブル端末３００の構成の一例を示す図である。ウェアラブル端末３００は、例えば、図１９に示すように、腕時計型のウェアラブル端末であり、医療スタッフの腕に装着される。この場合、図２０に示すように、ウェアラブル端末３００は、図４の近距離無線通信デバイス３６０に代えて、マイク３８０を有する。
【００９３】
マイク３８０は、医療スタッフが患者を対応するときに、音声を集音する。例えば、医療スタッフが患者を対応するときに、当該患者の名前を呼び、マイク３８０は、当該患者の名前を集音する。例えば、マイク３８０が、患者Ａの名前を集音した場合、通信処理機能３５１は、患者Ａの名前を表す音声をタブレット２００に送信する。タブレット２００は、通信処理機能２５１により、ウェアラブル端末３００から送信された患者Ａの名前を表す音声を受信し、サーバ１００に送信する。
【００９４】
サーバ１００は、照合機能１５１により、タブレット２００から送信された患者Ａの名前を表す音声を受信し、記憶回路１４０に記憶された患者情報の基本情報に含まれる患者の氏名（名前）と、受信した音声が表す患者Ａの名前とを照合する。照合の結果、これらは一致する場合、実行処理機能１５２は、受信した音声が表す患者Ａの名前に一致する名前を含む患者情報（患者Ａの患者情報）を記憶回路１４０から読み出してタブレット２００に送信する。
【００９５】
ここで、例えば、患者Ａの患者情報が更新されるまで、スタッフ端末（ウェアラブル端末３００、タブレット２００）及びサーバ１００は、患者Ａの看護記録を記憶回路１４０に記録させる看護記録モード（患者Ａ看護記録モード）を実行する。
【００９６】
（第５の変形例）
第４の変形例では、例えば、サーバ１００が患者Ａの名前を表す音声を認識することで、スタッフ端末（ウェアラブル端末３００、タブレット２００）及びサーバ１００は、患者Ａ看護記録モードを実行する。しかし、第５の変形例として、患者Ａと患者Ｂとが同姓である場合が考えられる。
【００９７】
図２１は、第５の変形例における医用情報処理システム１による処理の手順を示すフローチャートである。図２２は、第５の変形例におけるタブレット２００のディスプレイ２２０に表示される画面の一例を示す図である。
【００９８】
例えば、医療スタッフ（看護師）は、患者Ａの看護活動を開始するために、患者Ａに近づき、声掛けを行う（図２１のステップＳ３０１）。例えば、看護師は、患者Ａに対して、患者Ａの名前（苗字）である「佐藤さん」と呼ぶ。しかし、患者Ａの近くには、同姓「佐藤さん」の患者Ｂも存在する（図２１のステップＳ３０２）。このとき、看護師に装着されたウェアラブル端末３００は、マイク３８０により、患者Ａの名前を表す音声を集音し、タブレット２００に送信する。タブレット２００は、ウェアラブル端末３００から送信された患者Ａの名前を表す音声を受信し、サーバ１００に送信する（図２１のステップＳ３０３）。
【００９９】
サーバ１００は、照合機能１５１により、タブレット２００から送信された患者Ａの名前を表す音声を受信し、記憶回路１４０に記憶された患者情報の基本情報に含まれる患者の氏名（名前）と、受信した音声が表す患者Ａの名前とを照合する。照合の結果、これらは一致する。この場合、照合機能１５１は、受信した音声が表す患者Ａの名前に一致する識別情報を含む患者情報（患者Ａの患者情報、及び、患者Ｂの患者情報）を記憶回路１４０から読み出す。
【０１００】
ここで、サーバ１００の警告処理機能１５５は、記憶回路１４０から読み出された患者情報が複数存在するため、その旨を警告情報としてタブレット２００に送信する（図２１のステップＳ３０４）。また、サーバ１００の警告処理機能１５５は、当該警告情報をタブレット２００に送信したことを記憶回路１４０に記録する。この場合、タブレット２００は、通信処理機能２５１により、当該警告情報をサーバ１００から受信し、警告処理機能２５３により、受信した警告情報として、図２２に示す警告情報画面７０をディスプレイ２２０に表示させる（図２１のステップＳ３０５）。例えば、警告情報画面７０は、警告を表すメッセージ「同姓の患者が存在します」が記載された表示欄７１と、患者情報を選択する選択欄７２とを含む。選択欄７２は、患者Ａの患者情報を選択する選択欄７２Ａと、患者Ｂの患者情報を選択する選択欄７２Ｂとを含む。また、表示欄７１には、看護師へのサポートとして、患者Ａ及び患者Ｂを特定するための情報（患者Ａ及び患者Ｂの名前、生年月日等）が、上記メッセージと併せて表示されてもよい。又は、表示欄７１には、看護師に注目させるために、看護師が患者Ａ及び患者Ｂを特定するための情報が、マーキングや点滅などの方法によって、上記メッセージと併せて表示されてもよい。
【０１０１】
例えば、看護師は、患者Ａ及び患者Ｂのうち、患者Ａに声掛け等の確認を行い（図２１のステップＳ３０６）、患者Ａが応答した場合（図２１のステップＳ３０７）、警告情報画面７０の選択欄７２Ａを操作する。この場合、タブレット２００は、選択欄７２Ａの操作により、患者Ａの患者情報が選択された旨を表す選択情報をサーバ１００に送信する（図２１のステップＳ３０８）。
【０１０２】
サーバ１００は、実行処理機能１５２により、タブレット２００から送信された選択情報を受信し、受信した選択情報に応じて、記憶回路１４０から読み出した患者Ａの患者情報をタブレット２００に送信する（図２１のステップＳ３０９）。
【０１０３】
タブレット２００は、サーバ１００から送信された患者Ａの患者情報を受信し、受信した患者Ａの患者情報を表す画面２０をディスプレイ２２０に表示させる（図２１のステップＳ３１０）。例えば、看護師が、患者Ａの患者情報を表す画面２０の「記録」ボタン２２Ｂを操作した場合、タブレット２００は、当該画面２０上に看護記録画面３０を表示させる。
【０１０４】
看護師は、患者Ａの処置を開始する（図２１のステップＳ３１１）。例えば、看護師は、患者Ａの看護記録で予定されているバイタルデータとして、患者Ａの体温「３６．９」、血圧「１３０／９０」、脈拍「６５」を計測し、患者Ａの処置を終了する（図２１のステップＳ３１２）。そして、看護師は、タブレット２００を操作して、計測した患者Ａの体温「３６．９」、血圧「１３０／９０」、脈拍「６５」をそれぞれ看護記録画面３０の入力欄３１、３２、３３に入力する（図２１のステップＳ３１３）。
【０１０５】
次に、看護師は、タブレット２００を操作して、看護記録画面３０を閉じる。このとき、タブレット２００は、患者Ａの看護記録で予定されているバイタルデータとして、看護記録画面３０の入力欄３１、３２、３３にそれぞれ入力された患者Ａの体温「３６．９」、血圧「１３０／９０」、脈拍「６５」を患者Ａの患者情報として記憶回路１４０に保存するための保存要求をサーバ１００に送信する（図２１のステップＳ３１４）。サーバ１００は、記録処理機能１５４により、タブレット２００から保存要求として送信された患者Ａの患者情報（患者Ａの体温「３６．９」、血圧「１３０／９０」、脈拍「６５」）を受信し、受信した患者Ａの患者情報を記憶回路１４０に保存させる（図２１のステップＳ３１５）。すなわち、患者Ａの患者情報を更新する。
【０１０６】
以上の説明により、第１の実施形態では、例えば、医療スタッフである看護師が看護活動を行うために患者Ａに近づいたときに、スタッフ端末（ウェアラブル端末３００、タブレット２００）が患者Ａの識別情報「Ｐ１１１１」をデバイス４００Ａから自動的に取得し、取得した患者Ａの識別情報「Ｐ１１１１」がサーバ１００の記憶回路１４０に記憶された識別情報と一致する場合に、当該一致する識別情報を含む患者情報（患者Ａの患者情報）をタブレット２００に送信し、タブレット２００は、患者Ａの患者情報を表す画面２０をディスプレイ２２０に表示させている。そして、患者Ａの看護記録で予定されているバイタルデータの全て（患者Ａの体温、血圧、脈拍）が記憶回路１４０に保存されていないときに、看護師が患者Ａから離れた場合、サーバ１００は、患者Ａの看護記録を中断している旨を注意情報としてタブレット２００に送信し、タブレット２００は、注意情報を表す注意情報画面５０をディスプレイ２２０に表示させることにより、看護師に通知する。これにより、第１の実施形態では、看護師による看護記録の誤入力を防止することができる。
【０１０７】
（第２の実施形態）
第２の実施形態では、例えば、医療スタッフである医師は、患者Ａのベッドサイドで、患者Ａの処方等をオーダする場合がある。このときに、医師は、タブレット２００を操作して、一覧表から患者を選択した場合（例えば、誤って患者Ｂを選択した場合）、スタッフ端末（ウェアラブル端末３００、タブレット２００）が、ベッドサイドにいる患者Ａの識別情報「Ｐ１１１１」をデバイス４００Ａから自動的に取得し、取得した患者Ａの識別情報「Ｐ１１１１」が上記選択した患者の識別情報（サーバ１００の記憶回路１４０に記憶された患者Ｂの識別情報「Ｐ１１１２」）と一致しない場合に、サーバ１００は、選択した患者が間違っている旨を警告情報としてタブレット２００に送信し、タブレット２００は、警告情報を表す警告情報画面をディスプレイ２２０に表示させることにより、医師に通知する。これにより、第２の実施形態では、医師によるオーダのミス（誤発注）を防止することができる。
【０１０８】
まず、スタッフ端末（ウェアラブル端末３００、タブレット２００）が取得した患者Ａの識別情報「Ｐ１１１１」と、医師が選択した患者の識別情報とが一致する場合の処理について説明する。図２３は、第２の実施形態に係る医用情報処理システム１による処理の手順を示すフローチャートである。図２４は、第２の実施形態におけるタブレット２００のディスプレイ２２０に表示される画面の一例を示す図である。
【０１０９】
例えば、医療スタッフ（医師）は、患者Ａのベッドサイドで、患者Ａの処方等をオーダする場合、タブレット２００を操作して、患者選択画面の要求を行う。このとき、タブレット２００は、通信処理機能２５１により、患者選択画面要求をサーバ１００に送信する（図２３のステップＳ４０１）。サーバ１００の照合機能１５１は、当該患者選択画面要求に応じて、図２４に示す患者選択画面１０を表す情報をタブレット２００に送信する（図２３のステップＳ４０２）。タブレット２００は、通信処理機能２５１により、サーバ１００から送信された患者選択画面１０を表す情報を受信し、患者選択画面１０をディスプレイ２２０に表示させる（図２３のステップＳ４０３）。
【０１１０】
図２４に示すように、患者選択画面１０は、記憶回路１４０に記憶された患者情報に含まれる識別情報の中から、１人の患者の識別情報を選択するための一覧表１１を含む。例えば、医師は、タブレット２００を操作して、一覧表１１から患者Ａを選択する（図２３のステップＳ４０４）。このとき、タブレット２００は、通信処理機能２５１により、一覧表１１から患者Ａが選択された旨を表す選択情報をサーバ１００に送信する（図２３のステップＳ４０５）。
【０１１１】
ここで、医師は、患者Ａのベッドサイドで、患者Ａの処方等をオーダするために、患者Ａに近づいている。このため、医師に装着されたウェアラブル端末３００の近距離無線通信デバイス３６０は、患者Ａに装着されたリストバンド４１０に設けられたデバイス４００Ａの近距離無線通信範囲（患者Ａエリア）内に存在する。ウェアラブル端末３００は、近距離無線通信デバイス３６０により、デバイス４００Ａから発信された患者Ａの識別情報「Ｐ１１１１」を受信し、通信処理機能３５１により、受信した識別情報「Ｐ１１１１」をタブレット２００に送信する。タブレット２００は、通信処理機能２５１により、ウェアラブル端末３００から送信された患者Ａの識別情報「Ｐ１１１１」を受信し、サーバ１００に送信する（図２３のステップＳ４０６）。
【０１１２】
サーバ１００は、照合機能１５１により、タブレット２００から送信された選択情報を受信する。また、照合機能１５１は、タブレット２００から送信された患者Ａの識別情報「Ｐ１１１１」を受信する。そして、照合機能１５１は、受信した患者Ａの識別情報「Ｐ１１１１」と、受信した選択情報が表す患者Ａの識別情報「Ｐ１１１１」とを照合する。照合の結果、これらは一致する（図２３のステップＳ４０７）。この場合、実行処理機能１５２は、受信した患者Ａの識別情報「Ｐ１１１１」に一致する識別情報を含む患者情報（患者Ａの患者情報）を記憶回路１４０から読み出してタブレット２００に送信する（図２３のステップＳ４０８）。
【０１１３】
タブレット２００は、通信処理機能２５１により、サーバ１００から送信された患者Ａの患者情報を受信し、実行処理機能２５２により、受信した患者Ａの患者情報として、図２４に示す画面２０をディスプレイ２２０に表示させる（図２３のステップＳ４０９）。
【０１１４】
次に、スタッフ端末（ウェアラブル端末３００、タブレット２００）が取得した患者Ａの識別情報「Ｐ１１１１」と、医師が選択した患者の識別情報とが一致しない場合の処理について説明する。図２５は、第２の実施形態に係る医用情報処理システム１による処理の手順を示すフローチャートである。図２６は、第２の実施形態におけるタブレット２００のディスプレイ２２０に表示される画面の一例を示す図である。
【０１１５】
例えば、医療スタッフ（医師）は、患者Ａのベッドサイドで、患者Ａの処方等をオーダする場合、タブレット２００を操作して、患者選択画面の要求を行う。このとき、タブレット２００は、通信処理機能２５１により、患者選択画面要求をサーバ１００に送信する（図２５のステップＳ４０１）。サーバ１００の照合機能１５１は、当該患者選択画面要求に応じて、図２６に示す患者選択画面１０を表す情報をタブレット２００に送信する（図２５のステップＳ４０２）。タブレット２００は、通信処理機能２５１により、サーバ１００から送信された患者選択画面１０を表す情報を受信し、患者選択画面１０をディスプレイ２２０に表示させる（図２５のステップＳ４０３）。
【０１１６】
例えば、医師は、タブレット２００を操作して、一覧表１１から患者Ｂを選択する（図２５のステップＳ４０４）。このとき、タブレット２００は、通信処理機能２５１により、一覧表１１から患者Ｂが選択された旨を表す選択情報をサーバ１００に送信する（図２５のステップＳ４０５）。
【０１１７】
ここで、医師は、患者Ａのベッドサイドで、患者Ａの処方等をオーダするために、患者Ａに近づいている。このため、医師に装着されたウェアラブル端末３００の近距離無線通信デバイス３６０は、患者Ａに装着されたリストバンド４１０に設けられたデバイス４００Ａの近距離無線通信範囲（患者Ａエリア）内に存在する。ウェアラブル端末３００は、近距離無線通信デバイス３６０により、デバイス４００Ａから発信された患者Ａの識別情報「Ｐ１１１１」を受信し、通信処理機能３５１により、受信した識別情報「Ｐ１１１１」をタブレット２００に送信する。タブレット２００は、通信処理機能２５１により、ウェアラブル端末３００から送信された患者Ａの識別情報「Ｐ１１１１」を受信し、サーバ１００に送信する（図２５のステップＳ４０６）。
【０１１８】
サーバ１００は、照合機能１５１により、タブレット２００から送信された選択情報を受信する。また、照合機能１５１は、タブレット２００から送信された患者Ａの識別情報「Ｐ１１１１」を受信する。そして、照合機能１５１は、受信した患者Ａの識別情報「Ｐ１１１１」と、受信した選択情報が表す患者Ｂの識別情報「Ｐ１１１２」とを照合する。照合の結果、これらは一致しない（図２３のステップＳ４１０）。この場合、警告処理機能１５５は、医師が患者を間違えている旨を警告情報としてタブレット２００に送信する（図２３のステップＳ４１１）。この場合、タブレット２００は、通信処理機能２５１により、当該警告情報をサーバ１００から受信し、警告処理機能２５３により、受信した警告情報として、例えば、図２６に示す警告情報画面１２を患者選択画面１０上に表示させる（図２５のステップＳ４１２）。例えば、警告情報画面１２は、警告を表すメッセージ「患者が違います」が記載された表示欄を含む。
【０１１９】
以上の説明により、第２の実施形態では、スタッフ端末（ウェアラブル端末３００、タブレット２００）が取得した患者Ａの識別情報「Ｐ１１１１」と、医師が選択した患者の識別情報（サーバ１００の記憶回路１４０に記憶された識別情報）とを照合させることにより、医師によるオーダのミス（誤発注）を防止することができる。なお、患者のベッドサイドに患者の識別情報が記載されている場合、患者の取り違いの防止を強化するために、当該患者のベッドサイドに記載された識別情報も照合させてもよい。この場合、サーバ１００において、記憶回路１４０に記憶される複数の患者情報の各々の基本情報には、照合用に、当該患者のベッドサイドに記載された識別情報が含まれる。例えば、医師は、タブレット２００を操作して、当該患者のベッドサイドに記載された識別情報を入力し、サーバ１００は、医師が入力した識別情報が、サーバ１００の記憶回路１４０に記憶されたベッドサイドの識別情報と一致しない場合でも、医師が患者を間違えている旨を警告情報としてタブレット２００に送信してもよい。
【０１２０】
（第３の実施形態）
第３の実施形態として、サーバ１００の記録処理機能１５４は、患者の取り違いが起きる可能性があった事例を記憶回路１４０に記憶させ、当該事例と類似の事例が発生する場合に、サーバ１００の警告処理機能１５５は、類似の事例がある旨を警告情報としてタブレット２００に送信してもよい。
【０１２１】
例えば、患者Ａと患者Ｂとが近くにいる場合、サーバ１００の警告処理機能１５５は、類似の事例がある旨を警告情報としてタブレット２００に送信してもよい。この場合、サーバ１００の警告処理機能１５５は、記憶回路１４０から読み出された患者情報が複数存在する旨を警告情報としてタブレット２００に送信する（図１７のステップＳ２０４）。この場合、タブレット２００は、通信処理機能２５１により、当該警告情報をサーバ１００から受信し、警告処理機能２５３により、受信した警告情報として、図２７に示す警告情報画面６０をディスプレイ２２０に表示させる（図１７のステップＳ２０５）。このとき、図２７に示す警告情報画面６０は、例えば、図１８に示す警告情報画面６０に対して、類似の事例がある旨を表すメッセージ「類似の事例あり」が記載された類似事例表示欄６３を更に含む。
【０１２２】
例えば、患者Ａと患者Ｂとが同姓である場合、サーバ１００の警告処理機能１５５は、類似の事例がある旨を警告情報としてタブレット２００に送信してもよい。この場合、サーバ１００の警告処理機能１５５は、記憶回路１４０から読み出された患者情報が複数存在する旨を警告情報としてタブレット２００に送信する（図２１のステップＳ３０４）。この場合、タブレット２００は、通信処理機能２５１により、当該警告情報をサーバ１００から受信し、警告処理機能２５３により、受信した警告情報として、図２８に示す警告情報画面７０をディスプレイ２２０に表示させる（図２１のステップＳ３０５）。このとき、図２８に示す警告情報画面７０は、例えば、図２２に示す警告情報画面７０に対して、類似の事例がある旨を表すメッセージ「類似の事例あり」が記載された類似事例表示欄７３を更に含む。
【０１２３】
（第４の実施形態）
第４の実施形態として、サーバ１００の記録処理機能１５４は、第１の実施形態及び第２の実施形態においてイベントや警告情報が発生したときの状況を記憶回路１４０に記憶させているため、患者の取り違いが起きる可能性がある場合に、サーバ１００の警告処理機能１５５は、看護記録の誤入力等を事前に防ぐために、当該状況を警告情報としてタブレット２００に送信してもよい。
【０１２４】
例えば、看護師が、患者Ａの処置を中断した後に、中断した処置を再開しない場合、すなわち、患者Ａ看護記録モードが中断されてから、患者Ａ看護記録モードが再開されない場合、サーバ１００の警告処理機能１５５は、患者Ａ看護記録モードが再開されない旨を警告情報としてタブレット２００に送信してもよい。例えば、タブレット２００が行う患者Ａの識別情報「Ｐ１１１１」の受信が途切れた時刻から、設定時間が経過しても、患者Ａの看護記録で予定されているバイタルデータの全て（患者Ａの体温、血圧、脈拍）が記憶回路１４０に保存されていない場合、サーバ１００の警告処理機能１５５は、患者Ａの処置を中断してから設定時間が経過している旨を警告情報としてタブレット２００に送信する。この場合、タブレット２００は、通信処理機能２５１により、当該警告情報をサーバ１００から受信し、警告処理機能２５３により、受信した警告情報として、図２９に示す警告情報画面８０をディスプレイ２２０に表示させる。
【０１２５】
例えば、警告情報画面８０は、警告を表すメッセージ「データ入力が完了していない患者がいます」が記載された表示欄８１と、警告情報が発生した状況を表示する状況表示欄８２とを含む。ここで、表示欄８１には、看護師へのサポートとして、患者Ａを特定するための情報（患者Ａの名前、生年月日等）が、上記メッセージと併せて表示されてもよい。又は、表示欄８１には、看護師に注目させるために、看護師が患者Ａを特定するための情報が、マーキングや点滅などの方法によって、上記メッセージと併せて表示されてもよい。
【０１２６】
ここで、患者Ａ看護記録モードが中断されてから、設定時間が経過したときに、状況表示欄８２に表示される内容の一例を説明する。
【０１２７】
例えば、看護師は、患者Ａエリアで、患者Ａの血圧「１３０／９０」、脈拍「６５」を計測して（図７のステップＳ１０５）、計測した患者Ａの血圧「１３０／９０」、脈拍「６５」を、それぞれ、図９の看護記録画面３０の入力欄３２、３３に入力した後（図７のステップＳ１０６）、図９の看護記録画面３０の入力欄３１に患者Ａの体温を入力する前に、患者Ｂによる中断イベントが発生したものとする（図７のステップＳ１０７、Ｓ１０８）。このとき、看護師は、患者Ａから離れ、患者Ｂに近づくため（図７のステップＳ１０９、Ｓ１１０）、患者Ａ看護記録モードが中断され（図７のステップＳ１１１〜Ｓ１１３）、患者Ｂ看護記録モードが実行される（図７のステップＳ１１４〜Ｓ１２２）。そこで、看護師は、患者Ｂから離れたが（図７のステップＳ１２３）、患者Ａに近づいていない。すなわち、患者Ａ看護記録モードが再開されない。この場合、サーバ１００の警告処理機能１５５は、患者Ａの処置を中断してから設定時間が経過している旨を警告情報としてタブレット２００に送信する。タブレット２００は、通信処理機能２５１により、当該警告情報をサーバ１００から受信し、警告処理機能２５３により、受信した警告情報として、図２９の警告情報画面８０をディスプレイ２２０に表示させる。
【０１２８】
ここで、サーバ１００は、図７のステップＳ１１３において、患者Ａの看護記録を記憶回路１４０に記憶し、図７のステップＳ１２２において、患者Ｂの看護記録を記憶回路１４０に記憶している。本実施形態では、上述の状況によって警告情報を発生させるときに、これらの情報を利用する。具体的には、図２９の警告情報画面８０の状況表示欄８２には、図７のステップＳ１１３において記憶回路１４０に保存された患者Ａの看護記録（開始時刻「９：００」、中断時刻「９：３０」を含む）と、図７のステップＳ１２２において記憶回路１４０に保存された患者Ｂの看護記録（イベント発生時刻「９：３０」、開始時刻「９：３５」、終了時刻「１０：００」を含む）とが並べて表示される。
【０１２９】
図２９に示す例では、設定時間が１時間の場合であり、患者Ａの処置を中断した時刻である９時３０分から、設定時間が経過した時刻である１０時３０分に、タブレット２００は、警告情報をサーバ１００から受信し、受信した警告情報として、警告情報画面８０をディスプレイ２２０に表示させている。ここで、例えば、設定時間が経過した時刻である１０時３０分にタブレット２００が警告情報画面８０をディスプレイ２２０に表示させるときに、警告情報画面８０の状況表示欄８２において、患者Ａの看護記録の未入力データとして、「体温は？」等のメッセージが表示されてもよい。
【０１３０】
なお、本実施形態で図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行われる各処理機能は、その全部または任意の一部が、ＣＰＵおよび当該ＣＰＵにて解析実行されるプログラムにて実現され、或いは、ワイヤードロジックによるハードウェアとして実現され得る。
【０１３１】
また、本実施形態で説明した表示方法は、予め用意された情報処理プログラムをパーソナルコンピュータやワークステーション等のコンピュータで実行することによって実現することができる。この情報処理プログラムは、インターネット等のネットワークを介して配布することができる。また、この情報処理プログラムは、ハードディスク、フレキシブルディスク（ＦＤ）、ＣＤ−ＲＯＭ、ＭＯ、ＤＶＤ等のコンピュータで読み取り可能な非一時的な記録媒体に記録され、コンピュータによって記録媒体から読み出されることによって実行することもできる。
【０１３２】
以上、説明したとおり、本実施形態によれば、患者の取り違いを防止することができる。
【０１３３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１３４】
１００  サーバ
１５０  処理回路
１５１  照合機能
１５２  実行処理機能
１５３  割込処理機能
１５４  記録処理機能
１５５  警告処理機能
２００  タブレット
３００  ウェアラブル端末
【図１】
2020119422.tif 000003
【図２】
2020119422.tif 000004
【図３】
2020119422.tif 000005
【図４】
2020119422.tif 000006
【図５】
2020119422.tif 000007
【図６】
2020119422.tif 000008
【図７】
2020119422.tif 000009
【図８】
2020119422.tif 000010
【図９】
2020119422.tif 000011
【図１０】
2020119422.tif 000012
【図１１】
2020119422.tif 000013
【図１２】
2020119422.tif 000014
【図１３】
2020119422.tif 000015
【図１４】
2020119422.tif 000016
【図１５】
2020119422.tif 000017
【図１６】
2020119422.tif 000018
【図１７】
2020119422.tif 000019
【図１８】
2020119422.tif 000020
【図１９】
2020119422.tif 000021
【図２０】
2020119422.tif 000022
【図２１】
2020119422.tif 000023
【図２２】
2020119422.tif 000024
【図２３】
2020119422.tif 000025
【図２４】
2020119422.tif 000026
【図２５】
2020119422.tif 000027
【図２６】
2020119422.tif 000028
【図２７】
2020119422.tif 000029
【図２８】
2020119422.tif 000030
【図２９】
2020119422.tif 000031